(57)【要約】  【課題】省電力モード以外の他のモードにおいても消費電力をより抑える。  【解決手段】通常モードと、消費電力を抑える省電力モードを有する装置であって、前記装置の状態を検出する少なくとも一以上の検出器と、前記通常モードと前記省電力モードとのいずれにおいても、前記検出器に間欠的に電源を供給する検出器電源供給部と、を備える。【選択図】図２
2012148439.tif 000002
【特許請求の範囲】
【請求項１】
通常モードと、消費電力を抑える省電力モードを有する装置であって、
前記装置の状態を検出する少なくとも一以上の検出器と、
前記通常モードと前記省電力モードとのいずれにおいても、前記検出器に間欠的に電源
を供給する検出器電源供給部と、を備える、
ことを特徴とする装置。
【請求項２】
請求項１に記載の装置であって、
前記検出器電源供給部は、前記省電力モードにおいては、前記通常モードよりも長い間
隔で、前記間欠的な電源供給を行う、
ことを特徴とする装置。
【請求項３】
請求項１又は２に記載の装置であって、
前記検出器電源供給部は、電源供給を停止する期間を電源供給する期間よりも長く設定
して、前記間欠的な電源供給を行う、
ことを特徴とする装置。
【請求項４】
請求項１〜３いずれか一項に記載の装置であって、
電源供給状態の前記検出器の出力情報を保持する保持部と、
前記保持部に保持された前記出力情報に基づいて装置の動作を制御する動作制御部と、
前記動作制御部に動作クロックを供給するクロック供給部と、
電源供給状態の前記検出器の出力情報の変化を監視する監視部と、を備え、
前記クロック供給部は、省電力モード時には、クロック供給を停止し、前記監視部が前
記出力情報の変化を検出した場合に、クロック供給を開始する、
ことを特徴とする装置。
【請求項５】
請求項４に記載の装置であって、
前記保持部は、前記検出器が電源供給状態のタイミングで出力される前記出力情報を保
持し、
前記動作制御部は、電源の供給状態及び非供給状態において、任意のタイミングで前記
保持部から情報を取得する、
ことを特徴とする装置。
【請求項６】
請求項１〜５いずれか一項に記載の装置であって、
前記装置は、画像形成装置である、
ことを特徴とする装置。
【請求項７】
通常モードと、消費電力を抑える省電力モードを有する装置における電源制御方法であ
って、
前記装置は、前記装置の状態を検出する少なくとも一以上の検出器と、前記通常モード
と前記省電力モードとのいずれにおいても、前記検出器に間欠的に電源を供給する検出器
電源供給部と、を備える、
ことを特徴とする電源制御方法。
【発明の詳細な説明】
【技術分野】
【０００１】
本発明は、省電力モードを有する装置及び画像形成装置に関する。
【背景技術】
【０００２】
プリンター、スキャナー、コピー機、複合機などの画像形成装置において、通常の動作
を行う通常モードと、通常モードよりも消費電力を低減した省電力モードとを有するもの
が知られている。
【０００３】
例えば、特許文献１には、次のような画像形成装置が記載されている。この画像形成装
置は、装置の状態を検出する検出器と、該検出器に電源を供給する検出器電源供給部とを
備え、省電力モード時には、該検出器へ間欠的に電源を供給することで消費電力を抑え、
該検出器の出力が変化した場合に、省電力モードから復帰する。
【先行技術文献】
【特許文献】
【０００４】
【特許文献１】特開２００７−２６８７８６号公報
【発明の概要】
【発明が解決しようとする課題】
【０００５】
しかしながら、上記の特許文献１の画像形成装置では、省電力モード以外の他のモード
においては検出器への電源供給が常時（連続的に）行われる。そのため、省電力モード以
外の他のモードにおいては、消費電力を抑えることができない。
【０００６】
そこで、本発明は、省電力モード以外の他のモードにおいても消費電力をより抑えるこ
とを目的とする。
【課題を解決するための手段】
【０００７】
上記の課題を解決する本発明の一態様は、通常モードと、消費電力を抑える省電力モー
ドを有する装置であって、前記装置の状態を検出する少なくとも一以上の検出器と、前記
通常モードと前記省電力モードとのいずれにおいても、前記検出器に間欠的に電源を供給
する検出器電源供給部と、を備える。
【０００８】
前記検出器電源供給部は、前記省電力モードにおいては、前記通常モードよりも長い間
隔で、前記間欠的な電源供給を行うようにしてもよい。
【０００９】
前記検出器電源供給部は、電源供給を停止する期間を電源供給する期間よりも長く設定
して、前記間欠的な電源供給を行うようにしてもよい。
【００１０】
また、電源供給状態の前記検出器の出力情報を保持する保持部と、前記保持部に保持さ
れた前記出力情報に基づいて装置の動作を制御する動作制御部と、前記動作制御部に動作
クロックを供給するクロック供給部と、電源供給状態の前記検出器の出力情報の変化を監
視する監視部と、を備え、前記クロック供給部は、省電力モード時には、クロック供給を
停止し、前記監視部が前記出力情報の変化を検出した場合に、クロック供給を開始するよ
うにしてもよい。
【００１１】
また、前記保持部は、前記検出器が電源供給状態のタイミングで出力される前記出力情
報を保持し、前記動作制御部は、電源の供給状態及び非供給状態において、任意のタイミ
ングで前記保持部から情報を取得するようにしてもよい。
【００１２】
また、前記装置は、画像形成装置であってもよい。
【００１３】
上記の課題を解決する本発明の他の態様は、通常モードと、消費電力を抑える省電力モ
ードを有する装置における電源制御方法であって、前記装置は、前記装置の状態を検出す
る少なくとも一以上の検出器と、前記通常モードと前記省電力モードとのいずれにおいて
も、前記検出器に間欠的に電源を供給する検出器電源供給部と、を備える。
【図面の簡単な説明】
【００１４】
【図１】本発明の一実施形態の一例に係るプリンターの概略構成を示すブロック図である。
【図２】本発明の一実施形態の一例に係るプリンターの省電力制御に関する構成を示すブロック図である。
【図３】本発明の一実施形態の一例に係る通常モードにおける省電力制御を説明するタイミングチャートである。
【図４】本発明の一実施形態の一例に係る省電力モードから通常モードへの復帰の制御を説明するタイミングチャートである。
【図５】本発明の一実施形態の変形例に係る省電力モードにおける省電力制御を説明するタイミングチャートである。
【発明を実施するための形態】
【００１５】
以下、本発明の一実施形態の一例について、図面を参照して説明する。
【００１６】
本実施形態では、省電力モードを有する装置として、画像形成装置を例に挙げる。また
、画像形成装置として、プリンターを例に挙げる。もちろん、省電力モードを有する装置
は、画像形成装置に限られず、その他の電子機器であってもよい。また、画像処理装置は
、プリンターに限られず、スキャナー、コピー機、複合機などの装置であってもよい。
【００１７】
図１は、本発明の一実施形態の一例に係るプリンターの概略構成を示すブロック図であ
る。
【００１８】
プリンター１は、例えば、インクジェット方式やレーザー方式のプリンターである。プ
リンター１は、コントローラー１０と、操作パネル２０と、印刷エンジン３０と、センサ
ー４０と、ネットワークインターフェイス（Ｉ／Ｆ）５０とを有する。
【００１９】
コントローラー１０は、プリンター１の主要機能を搭載したチップ（ＳｏＣ：System o
n Chip）などで構成され、プリンター１全体の動作を制御する。
【００２０】
例えば、コントローラー１０は、ネットワークＩ／Ｆ５０を介して印刷データを受信す
ると、当該印刷データに基づいて印刷エンジン３０に出力する印字データを生成し、印刷
エンジン３０を制御して印字データに基づく印刷を実行させる。また、コントローラー１
０は、操作パネル２０を介してユーザーの指示を受け付け、印刷処理の停止／開始、各種
パラメータの変更、各種パラメータの操作パネル２０への表示などを行う。
【００２１】
また、例えば、コントローラー１０は、センサー４０の出力信号を検出し、該出力信号
に基づいてプリンター１の各種の状態を判断し、各種の状態に応じた制御を行う。例えば
、センサー４０が、プリンター１の給紙トレイ（不図示）の用紙の有無を検出するセンサ
ーである場合、コントローラー１０は、センサー４０の出力信号に基づいて用紙の有無の
状態を判断する。用紙が無い場合、コントローラー１０は、操作パネル２０へその旨を表
示させる。
【００２２】
詳細は後述するが、プリンター１は、通常モード及び省電力モードで動作することがで
きる。コントローラー１０は、例えば、プリンター１が通常モードで動作中に、待機状態
が所定時間経過した場合、プリンター１を通常モードから省電力モードに移行する制御を
行う。また、コントローラー１０は、例えば、プリンター１が省電力モードで動作中に、
センサー４０からの出力信号に基づいて状態の変化を検出した場合、プリンター１を省電
力モードから通常モードに移行する制御を行う。
【００２３】
上記のような制御を実現するために、コントローラー１０は、例えば、ＣＰＵ（Centra
l Processing Unit）１１と、ＲＡＭ（Random Access Memory）１２と、ＲＯＭ（Read On
ly Memory）１３とを備える。なお、コントローラー１０は、上記処理を専用に行うよう
に設計されたＡＳＩＣで構成されていてもよい。
【００２４】
ＣＰＵ１１は、各種プログラムを実行する。ＲＡＭ１２は、印刷データや印字データな
どの各種データおよびプログラム等を一時的に記憶する。ＲＯＭ１３には、プリンター１
を制御するための各種データ、各種プログラム等があらかじめ不揮発的に記憶されている
。
【００２５】
操作パネル２０は、ユーザーとプリンター１のインターフェイスとして機能する。操作
パネル２０は、例えば、電源のオン／オフを受け付けたり、文字や画像を表示したり、ユ
ーザーの操作を受け付けたり、プリンター１の各種の状態を表示したりする。操作パネル
２０は、例えば、タッチパネルと、ディスプレイとを備える。
【００２６】
タッチパネルは、ユーザーの操作を受け付けるユニットである。タッチパネルは、例え
ば、ディスプレイの表示面側に貼られた透過性のあるパネルである。タッチパネルは、例
えば、ディスプレイに表示された画像のＸＹ座標と対応したタッチ位置を特定し、タッチ
位置を座標に変換してコントローラー１０に出力する。タッチパネルは、例えば、抵抗膜
方式、静電容量方式などである。
【００２７】
ディスプレイは、コントローラー１０で生成されたグラフィックス情報を表示するユニ
ットである。ディスプレイは、例えば、液晶ディスプレイ（Liquid Crystal Display）、
有機ＥＬディスプレイ（Electro-Luminescence Display）などで構成される。
【００２８】
印刷エンジン３０は、コントローラー１０からの指示に基づいて、コントローラー１０
から出力された印字データを印刷媒体に印刷する機構である。印刷エンジン３０は、例え
ば、インクジェット方式やレーザー方式である。なお、本実施形態では、印刷エンジン３
０には、読取対象の原稿を自動給紙するＡＤＦ（Auto Document Feeder）、印刷用紙の給
紙トレイ、給紙トレイから印刷用紙を取り出す給紙機構、排紙機構、排紙トレイなども含
むものとする。
【００２９】
センサー４０は、プリンター１や印刷エンジン３０の各種の状態を示す出力信号を出力
する。センサー４０は、例えば、給紙トレイの用紙の有無の状態を出力するセンサー、Ａ
ＤＦ（Auto Document Feeder）への原稿のセットの有無の状態を出力するセンサー、プリ
ンター１の筐体の内部へ通じるための各種の蓋の開閉の状態を出力するセンサー、などで
ある。もちろん、センサー４０には、上記の例示したセンサーに限られず、他のセンサー
であってもよい。
【００３０】
ネットワークＩ／Ｆ５０は、ＬＡＮなどのネットワークに接続して、パーソナルコンピ
ューターなどのホストと通信するユニットである。
【００３１】
以上が、本発明の一実施形態の一例に係るプリンター１の概略構成である。ただし、こ
の構成は、本願発明の特徴を説明するにあたって主要構成を説明したのであって、上記の
構成に限られない。また、一般的なプリンターが備える構成を排除するものではない。
【００３２】
図２は、本発明の一実施形態の一例に係るプリンターの省電力制御に関する構成を示す
ブロック図である。
【００３３】
図示するように、プリンター１は、動作制御部１００と、クロック供給部１１０と、状
態保持部１２０と、状態監視部１３０と、検出器電源供給部１４０と、検出器１５０とを
有する。動作制御部１００と、クロック供給部１１０と、状態保持部１２０と、状態監視
部１３０と、検出器電源供給部１４０とは、コントローラー１０に含まれる。
【００３４】
動作制御部１００は、ＣＰＵ１１（図１参照）に対応する。また、検出器１５０は、セ
ンサー４０（図１参照）に対応する。クロック供給部１１０と、状態保持部１２０と、状
態監視部１３０と、検出器電源供給部１４０は、専用の回路により実現することができる
。
【００３５】
動作制御部１００は、通常モード中、状態保持部１２０に保持されている状態データを
、予め設定された所定の周期、又は任意のタイミングで参照する。ここで、状態データは
状態保持部１２０に保持されるため、動作制御部１００は、検出器１５０の電源がオンの
タイミングに同期して状態保持部１２０を参照する必要はない。
【００３６】
また、動作制御部１００は、取得した状態に応じて、プリンター１の制御を行う。例え
ば、センサー４０が、プリンター１の給紙トレイ（不図示）の用紙の有無を検出するセン
サーである場合、動作制御部１００は、センサー４０の出力信号に基づいて用紙の有無の
状態を判断する。用紙が無い場合、動作制御部１００は、操作パネル２０へその旨を表示
させる。
【００３７】
動作制御部１００は、通常モード中、クロック供給部１１０から供給されるクロックに
より動作する。動作制御部１００は、プリンター１を通常モードから省電力モードに移行
させるトリガーを検出した場合（例えば、プリンター１が通常モードで動作中に、待機状
態が所定時間経過した場合）、プリンター１を通常モードから省電力モードに移行する制
御を行う。省電力モードへの移行制御において、動作制御部１００は、クロック供給部１
１０にクロックの停止を指示する制御信号を送る。すなわち、動作制御部１００は、省電
力モード中は動作せず、電源オフ状態やスリープ状態に移行することができる。
【００３８】
また、動作制御部１００は、省電力モード中に、クロック供給部１１０からクロックの
供給を受けると、動作を開始し、プリンター１を省電力モードから通常モードに移行する
制御を行う。
【００３９】
クロック供給部１１０は、通常モード中、動作制御部１００にクロックを供給する。動
作制御部１００からクロックの停止を指示する制御信号を受けた場合、クロックの供給を
停止する。また、クロック供給部１１０は、省電力モード中に、状態監視部１３０から、
クロックの供給の開始を指示するトリガー信号を受けると、クロックの供給を開始する。
【００４０】
状態保持部１２０は、検出器１５０への電源供給のタイミングを示すトリガー信号を検
出器電源供給部１４０から受けると、検出器１５０から状態を示す出力信号（状態データ
）を受け付け、保持する。状態とは、例えば、給紙トレイの用紙の有無の状態である。状
態保持部１２０は、例えば、レジスターやＳＲＡＭを備え、受信した状態データを記憶す
ることができる。
【００４１】
なお、本実施形態では、状態保持部１２０は、通常モード中も省電力モード中も、電源
が供給されているものとする。ただし、状態保持部１２０は、通常モード中に動作制御部
１００から参照され、省電力モード中には参照されない。
【００４２】
状態監視部１３０は、検出器１５０への電源供給のタイミングを示すトリガー信号を検
出器電源供給部１４０から受けると、検出器１５０から状態を示す出力信号（状態データ
）を受け付け、保持する。状態監視部１３０は、例えば、レジスターやＳＲＡＭを備え、
受信した状態データを記憶することができる。
【００４３】
本実施形態では、状態監視部１３０は、検出器１５０が出力する状態の変化を検出する
ため、２つの状態データ（古い状態と新しい状態）を保持する。すなわち、状態監視部１
３０は、一つ前に受け付けた状態データ（古い状態）と、新しく受け付けた状態データ（
新しい状態）とを保持する。そして、古い状態と新しい状態とを比較し、状態が異なる場
合、トリガー信号をクロック供給部１１０に出力する。なお、あるトリガー信号のタイミ
ングで保持した新しい状態と古い状態の比較は、次のトリガー信号のタイミングで比較さ
れる。
【００４４】
例えば、センサー４０が、プリンター１の給紙トレイ（不図示）の用紙の有無を検出す
るセンサーである場合を想定する。状態監視部１３０は、古い状態が「用紙がない状態」
、かつ、新しい状態が「用紙がある状態」である場合に、トリガー信号を出力する。また
、古い状態が「用紙がある状態」、かつ、新しい状態が「用紙がない状態」である場合に
も、トリガー信号を出力する。
【００４５】
なお、本実施形態では、状態監視部１３０は、通常モード中も省電力モード中も、電源
が供給されているものとする。ただし、クロック供給部１１０は、通常モード中に状態監
視部１３０からトリガー信号を受けても、無視するものとする。
【００４６】
検出器電源供給部１４０は、所定間隔毎（例えば、１００ｍｓ（ミリ秒）毎に）、検出
器１５０に電源を供給する。すなわち、検出器１５０の電源を間欠的にオンにする。本実
施形態では、検出器電源供給部１４０は、省電力モードだけでなく通常モード中も、検出
器１５０に間欠的に電源を供給する。
【００４７】
また、検出器電源供給部１４０は、検出器１５０への電源供給のタイミングを示すトリ
ガー信号を、状態保持部１２０と状態監視部１３０とに出力する。
【００４８】
検出器１５０は、検出器電源供給部１４０から電源が供給されている場合に動作する。
検出器１５０は、電源が供給されると、プリンター１の各種の状態を検出し、その状態を
示す出力信号（状態データ）を、状態保持部１２０と状態監視部１３０に出力する。なお
、実際は、検出器１５０は、センサーの特性上、電源オンと同時に状態を検出することは
できないため、電源オンから所定時間経過後に状態を検出して出力信号を出力する。
【００４９】
以上が、一実施形態の一例に係るプリンター１の省電力制御に関する構成である。ただ
し、この構成は、本願発明の特徴を説明するにあたって主要構成を説明したのであって、
上記の構成に限られない。また、一般的なプリンターが備える構成を排除するものではな
い。
【００５０】
次に、上記のプリンター１により実現される特徴的な省電力制御について説明する。以
下では、検出器１５０が、給紙トレイの用紙の有無を検出するセンサーである場合を例に
挙げて説明する。
【００５１】
図３は、本発明の一実施形態の一例に係る通常モードにおける省電力制御を説明するタ
イミングチャートである。本図の各タイミングの間隔などは、一例であり、図示するもの
に限られない。
【００５２】
検出器１５０の電源は、検出器電源供給部１４０の制御により、間欠的にＯＮにされて
いる。消費電力をできる限り低減するため、電源ＯＦＦの時間は、電源ＯＮの時間よりも
長く設定されている。検出タイミングは、センサーの性質上、電源ＯＮと同時に検出する
ことができないため、ＯＮから所定時間経過後のタイミング（Ｔ１〜Ｔ８）に検出されて
いる。
【００５３】
動作制御部１００は、状態保持部１２０を参照するため、動作制御部１００の動作タイ
ミングと検出器１５０の検出タイミングは同期している必要はない。
【００５４】
本図の例では、給紙トレイに紙がセットされていない（紙なし）状態で、省電力モード
が始まったものとする。そして、Ｔ２〜Ｔ３の間で、給紙トレイに紙がセットされ（紙あ
り）、Ｔ５〜Ｔ６の間で、給紙トレイの紙が取り除かれている（紙なし）。
【００５５】
Ｔ２〜Ｔ３の間で紙がセットされると、Ｔ３において、状態「紙あり」が検出され、状
態保持部１２０に保持される。その後、Ｔ５〜Ｔ６の間まで紙が継続的にセットされてい
るため、Ｔ４及びＴ５においても、状態「紙あり」が検出され、状態保持部１２０に保持
される。
【００５６】
その後、Ｔ５〜Ｔ６の間で紙が取り除かれると、Ｔ６において、状態「紙なし」が検出
され、状態保持部１２０に保持される。その後も、紙が継続的にセットされていないため
、Ｔ７及びＴ８においても、状態「紙なし」が検出され、状態保持部１２０に保持される
。
【００５７】
なお、動作制御部１００は、Ｔ３より前の動作タイミングでは、状態「紙なし」を取得
できるため、その状態に応じた制御を行う。Ｔ３〜Ｔ６の間の動作タイミングでは、状態
「紙あり」を取得できるため、その状態に応じた制御を行う。Ｔ６より後の動作タイミン
グでは、状態「紙なし」を取得できるため、その状態に応じた制御を行う。
【００５８】
図４は、本発明の一実施形態の一例に係る省電力モードから通常モードへの復帰の制御
を説明するタイミングチャートである。本図の各タイミングの間隔などは、一例であり、
図示するものに限られない。
【００５９】
省電力モードにおいては、通常モードと同様に、検出器１５０の電源は、検出器電源供
給部１４０の制御により、間欠的にＯＮにされている。消費電力をできる限り低減するた
め、電源ＯＦＦの時間は、電源ＯＮの時間よりも長く設定されている。検出タイミングは
、センサーの性質上、電源ＯＮと同時に検出することができないため、ＯＮから所定時間
経過後のタイミング（Ｔ１〜Ｔ８）に検出されている。
【００６０】
省電力モードにおいては、クロック供給部１１０は、停止している。また、動作制御部
１００は動作していない。
【００６１】
本図の例では、給紙トレイに紙がセットされていない（紙なし）状態で、省電力モード
が始まったものとする。そして、Ｔ２〜Ｔ３の間で、給紙トレイに紙がセットされる（紙
あり）。
【００６２】
Ｔ３より前においては、状態監視部１３０の状態１（新しい状態）と、状態２（古い状
態）には、「紙なし」が保持される。Ｔ１において、状態監視部１３０は、Ｔ１の一つ前
のタイミング（不図示）で保持した状態１と状態２とを比較する。Ｔ１の一つ前のタイミ
ング（不図示）で保持した状態１及び状態２は、両方とも「紙なし」であるため、状態監
視部１３０は、トリガー信号を出力しない。同様に、Ｔ２において、状態監視部１３０は
、Ｔ１で保持した状態１と状態２とを比較する。Ｔ１で保持した状態１及び状態２は、両
方とも「紙なし」であるため、状態監視部１３０は、トリガー信号を出力しない。
【００６３】
Ｔ２〜Ｔ３の間で紙がセットされると、Ｔ３において、状態「紙あり」が検出され、状
態監視部１３０の状態１には「紙あり」が設定され、状態２には「紙なし」が設定される
。なお、Ｔ３において、状態監視部１３０は、Ｔ２で保持した状態１と状態２とを比較す
る。Ｔ２で保持した状態１及び状態２は、両方とも「紙なし」であるため、状態監視部１
３０は、トリガー信号を出力しない。
【００６４】
Ｔ４において、状態監視部１３０は、Ｔ３で保持した状態１と状態２とを比較する。Ｔ
３で保持した状態１は「紙あり」、状態２は「紙なし」であるため、状態監視部１３０は
、トリガー信号を出力する。その後、Ｔ４においては、状態「紙あり」が検出されるため
、状態監視部１３０は、状態１に「紙あり」を設定するとともに、状態２にも「紙あり」
を設定する。
【００６５】
また、Ｔ４において、状態監視部１３０からトリガー信号が出力されたため、クロック
供給部１１０は、動作制御部１００にクロックの供給を開始する。これを受けて、動作制
御部１００は、動作を開始し、省電力モードから通常モードへの復帰を制御する。
【００６６】
Ｔ４より後については、図３で説明したとおりなので、説明を省略する。
【００６７】
以上、本発明の一実施形態の一例について説明した。本実施形態の一例によれば、省電
力モード以外の他のモードにおいても消費電力をより抑えることができる。
【００６８】
すなわち、上記の実施形態の一例によれば、省電力モードだけでなく通常モードにおい
ても、センサーへの電源が間欠的に供給される。従って、通常モードにおいても、より消
費電力を低減することができる。また、ＣＰＵは、保持部を介してセンサーの状態を参照
するため、ＣＰＵの任意の動作タイミングでセンサーの状態を取得することができる。
【００６９】
なお、上記の本発明の実施形態は、本発明の要旨と範囲を例示することを意図し、限定
するものではない。多くの代替物、修正および変形例が当業者にとって明らかである。
【００７０】
例えば、通常モードと省電力モードとでは、検出器への電源供給の間欠の間隔を異なら
せてもよい。具体的に図５を参照して説明する。
【００７１】
図５は、本発明の一実施形態の変形例に係る省電力モードにおける省電力制御を説明す
るタイミングチャートである。
【００７２】
本図に示すように、省電力モードにおける電源供給の間欠間隔（Ｔ２〜Ｔ３、Ｔ３〜Ｔ
４）は、通常モードにおける間欠間隔（Ｔ１〜Ｔ２、Ｔ４〜Ｔ５、Ｔ５〜Ｔ６）よりも長
くなっている。検出器電源供給部１４０は、例えば、通常モードでは、１００ｍｓ毎に検
出器１５０に電源を供給し、省電力モードでは、１〜３ｓ（秒）毎に検出器１５０に電源
を供給する。
【００７３】
なお、検出器電源供給部１４０は、通常モードから省電力モードへの移行、及び、省電
力モードから通常モードへの移行を、動作制御部１００からの通知により判断し、モード
に応じた間欠間隔を設定すればよい。すなわち、動作制御部１００は、通常モードから省
電力モードへの移行、及び、省電力モードから通常モードへの移行の際、検出器電源供給
部１４０にモードの移行を通知する。
【００７４】
以上の本発明の一実施形態の変形例によれば、通常モードにおける消費電力を低減した
上で、省電力モードにおける消費電力をさらに低減することができる。
【００７５】
なお、上述の実施形態では、検出器１５０が一つであるが、検出器１５０が複数あって
もよい。この場合、検出器電源供給部１４０は、複数の検出器１５０それぞれに間欠的に
電源を供給すればよい。また、状態保持部１２０と状態監視部１３０は、検出器１５０ご
とに設けられる。もちろん、検出器１５０ごとに、検出器電源供給部１４０が設けられて
もよい。また、２以上の検出器１５０に対して、検出器電源供給１４０が１つ対応するよ
うにしてもよい。
【符号の説明】
【００７６】
１：プリンター、１０：コントローラー、１１：ＣＰＵ、１２：ＲＡＭ、１３：ＲＯＭ、
２０：操作パネル、３０：印刷エンジン、４０：センサー、５０：ネットワークＩ／Ｆ、
１００：動作制御部、１１０：クロック供給部、１２０：状態保持部、１３０：状態監視
部、１４０：検出器電源供給部、１５０：検出器
【図１】
2012148439.tif 000003
【図２】
2012148439.tif 000004
【図３】
2012148439.tif 000005
【図４】
2012148439.tif 000006
【図５】
2012148439.tif 000007